(57)【要約】      （修正有）【課題】磁着性を有する金属製物体には使用できる上、使用範囲を拡大して、木製の柱材や木製のケースや容器等にも止めネジを使用して固定できるマグネット付フリーフックを提供する。【解決手段】ａは金属板製もしくはプラスチック資材製の四辺形固定部１の外側周縁部を延設せしめ形成した囲み部２と、中心部に貫通孔３を設けたヨークである。ｂは囲み部２内に嵌挿する内側部位が中空状をしている中空状挿入部４を有するフェライト製磁石体である。磁石体ｂは、四辺形状囲み部２に嵌挿可能な形状とする。そして厚さも囲み部２の高さと同程度として形成する。ｃはフランジであり、このフランジｃの裏面部５の中央部位を突設して、前方部に雄ネジ７を設けた接続部６をフランジｃの水平面に対し直角状に突出し形成する。このフランジｃは、通常円形状にして、且ステンレス資材製である。ｄは回転体である。【選択図】図１
0003124079.tif 000002
【実用新案登録請求の範囲】
【請求項１】
固定部を形成する外側周縁部に囲み部を設け、且中心部に貫通孔を設けたヨークと、前記囲み部内に嵌挿する内側部位が中空状挿入部を有する磁石体と、裏面部より前方部にネジを設けた接続部を突設せしめたフランジと、左側壁面部と右側壁面部にフック体を構成する２本の係止部が嵌挿する対向状の凹部と、中心部に貫通孔を設けた回転体部と、ワッシャと、ナットとを別設し、前記固定部の裏面部に前記磁石体を接着剤を介して接着し、前記フランジの接続部を前記回転体の貫通孔に挿入し、且前記接続部をワッシャ及び前記固定部の貫通孔に挿入し、且前記固定部の裏面部に位置するワッシャに挿入し、前記接続部の雄ネジにナットを螺着せしめ組立てたマグネット付フリーフックにおいて、前記ヨークの固定部を四辺形状にて形成し、且前記固定部の各隅部に止めネジを挿通する孔部を複数設けることを特徴とするマグネット付フリーフック。
【請求項２】
固定部を形成する外側周縁部に囲み部を設け、且前記固定部の内側部にフック体を構成する２本の係止部が左サイドと右サイドから嵌挿する対向状の嵌挿部を有する引掛け部を突設するヨークと、前記囲み部内に嵌挿する磁石体と、前記固定部の裏面部に前記磁石体を接着剤を介して接続し、前記引掛け部の嵌挿部にフック体の２本の係止部を嵌挿し組立てたマグネット付フリーフックにおいて、前記ヨークの固定部を四辺形状にて形成し、且前記固定部の各隅部に止めネジを挿通する孔部を複数設けることを特徴とするマグネット付フリーフック。
【請求項３】
前記磁石体の裏面部にシートを接着することを特徴とする請求項１又は２記載のマグネット付フリーフック。
【考案の詳細な説明】
【技術分野】
【０００１】
本考案は、被磁着物でも使用範囲を拡大せしめたマグネット付フリーフックの分野に関するものである。
【背景技術】
【０００２】
従来マグネット付フリーフックとして特開２００４‐１４６７５８公開特許公報のマグネットホルダーが開示されている。
【０００３】
前記公開公報のマグネットホルダーは、キャップ状ヨーク１１が円形状をしているだけで、前記ヨーク１１を構成する固定部に止め具を挿入する孔部は開いていない。
【０００４】
そのため前記公開特許公報のマグネットホルダーは、金属板に対してのみ磁着して使用しなければならないという使用範囲が限定されている。
【０００５】
従って、前記公開特許公報のマグネットホルダーは、被磁着物が、木製の柱や木製のケース類には使用できなかった。
【特許文献１】特開２００４−１４６７５８公開特許公報
【考案の開示】
【考案が解決しようとする課題】
【０００６】
しかるに、本考案のマグネット付フリーフックは、前記開示の特開２００４‐１４６７５８公開特許公報のマグネットホルダーと異なり、磁着性を有する金属製物体には使用できることは勿論のこと、使用範囲を拡大して、木製の柱材や木製のケースや容器等にも止めネジを使用して固定ができるようにしたものである。
【０００７】
そのため、本考案のマグネット付フリーフックは、使用範囲を２倍に拡大し使用ができるようにした。
【０００８】
さらに、本考案のマグネット付フリーフックは、従来のフリーフックと異なり購入者にとって、使用対象物の使用範囲が拡大でき、使用個所が磁着物であるかを予め選択することなく、一個のフリーフックで十分に対応できる極めて経済的な利点を有するものである。
【課題を解決するための手段】
【０００９】
上記課題を解決する手段として、請求項１記載のマグネット付フリーフックは、固定部を形成する外側周縁部に囲み部を設け、且中心部に貫通孔を設けたヨークと、前記囲み部内に嵌挿する内側部位が中空状挿入部を有する磁石体と、裏面部より前方部にネジを設けた接続部を突設せしめたフランジと、左側壁面部と右側壁面部にフック体を構成する２本の係止部が嵌挿する対向状の凹部と、中心部に貫通孔を設けた回転体部と、ワッシャと、ナットとを別設し、前記固定部の裏面部に前記磁石体を接着剤を介して接着し、前記フランジの接続部を前記回転体の貫通孔に挿入し、且前記接続部をワッシャ及び前記固定部の貫通孔に挿入し、且前記固定部の裏面部に位置するワッシャに挿入し、前記接続部の雄ネジにナットを螺着せしめ組立てたマグネット付フリーフックにおいて、前記ヨークの固定部を四辺形状にて形成し、且前記固定部の各隅部に止めネジを挿通する孔部を複数設けることを特徴とするマグネット付フリーフックである。
【００１０】
請求項２記載のマグネット付フリーフックは、固定部を形成する外側周縁部に囲み部を設け、且前記固定部の内側部にフック体を構成する２本の係止部が左サイドと右サイドから嵌挿する対向状の嵌挿部を有する引掛け部を突設するヨークと、前記囲み部内に嵌挿する磁石体と、前記固定部の裏面部に前記磁石体を接着剤を介して接続し、前記引掛け部の嵌挿部にフック体の２本の係止部を嵌挿し組立てたマグネット付フリーフックにおいて、前記ヨークの固定部を四辺形状にて形成し、且前記固定部の各隅部に止めネジを挿通する孔部を複数設けることを特徴とするマグネット付フリーフックである。
【００１１】
また本考案の請求項３記載の考案は、前記磁石体の裏面部にシートを接着することを特徴とする請求項１又は同２記載のマグネット付フリーフックである。
【考案の効果】
【００１２】
請求項１記載のマグネット付フリーフックは、上記課題を解決する手段として、請求項１記載のマグネット付フリーフックは、固定部を形成する外側周縁部に囲み部を設け、且中心部に貫通孔を設けたヨークと、前記囲み部内に嵌挿する内側部位が中空状挿入部を有する磁石体と、裏面部より前方部にネジを設けた接続部を突設せしめたフランジと、左側壁面部と右側壁面部にフック体を構成する２本の係止部が嵌挿する対向状の凹部と、中心部に貫通孔を設けた回転体部と、ワッシャと、ナットとを別設し、前記固定部の裏面部に前記磁石体を接着剤を介して接着し、前記フランジの接続部を前記回転体の貫通孔に挿入し、且前記接続部をワッシャ及び前記固定部の貫通孔に挿入し、且前記固定部の裏面部に位置するワッシャに挿入し、前記接続部のネジにナットを螺着せしめ組立てたマグネット付フリーフックにおいて、前記ヨークの固定部を四辺形状にて形成し、且前記固定部の各隅部に止めネジを挿通する孔部を複数設けたマグネット付フリーフックなので、被磁着物が吸着性を有する金属製のものに対して回転自在にフックし使用することができると共に、他方吸着しない、いわゆる非磁着資材製もしくは木製もしくはプラスチック製等のものでも、止めネジ等を使用してフリーフックの構成部材である固定部を固着できる等、従来のマグネット付フリーフックの使用範囲よりも拡大して使用を可能にした利点を有している。
【００１３】
さらに本考案のマグネット付フリーフックは、固定部が四辺形状をしているので、止めネジを介して被磁着物に対する固着時において、回転自在に取着しているフック体をバランスのとれた吊り下げ力を維持するための位置決め作業を確実にせしめた利点を有している。
【００１４】
また本考案のマグネット付フリーフックは、止めネジを離脱すれば、本製品もしくはプラスチック製品等の固着が解消できると共に、磁着物に対し着脱自在に接着せしめ使用できる利点を有している。
【００１５】
請求項２記載のマグネット付フリーフックは、固定部を形成する外側周縁部に囲み部を設け、且前記固定部の内側部にフック体を構成する２本の係止部が左サイドと右サイドから嵌挿する対向状の嵌挿部を有する引掛け部を突設するヨークと、前記囲み部内に嵌挿する磁石体と、前記固定部の裏面部に前記磁石体を接着剤を介して接続し、前記引掛け部の嵌挿部にフック体の２本の係止部を嵌挿し組立てたマグネット付フリーフックにおいて、前記ヨークの固定部を四辺形状にて形成し、且前記固定部の各隅部に止めネジを挿通する孔部を複数設けるマグネット付フリーフックなので、被磁着物が吸着性を有する金属製のものに対して前記フックを上方向もしくは下方向に１８０度回転させて使用することができると共に、吸着しない、いわゆる被磁資材製の木製もしくはプラスチック製等のものでも、止めネジ等を使用してフリーフックの固定部を固着できる等、従来のマグネット付フリーフックの使用範囲より拡大して使用を可能にした利点を有している。
【００１６】
請求項３記載のマグネット付フリーフックは、前記磁石の裏面部にシートを接着したものなので、磁性体を有する磁着物に着脱自在に、もしくは磁着後若干の角度だけ回転もしくは回動せしめるため固定部を回転もしくは移動せしめても、こすりによる被磁着物の表面部を損傷せしめたりしない利点を有している。
【考案を実施するための最良の形態】
【００１７】
本考案のマグネット付フリーフックの請求項１〜３記載の考案に関する実施の形態は、共通するので以下のとおり一括して説明する。
【００１８】
図においてＡは本考案マグネット付フリーフックであり、以下の構成部材からなっている。
【００１９】
ａは金属板製もしくはプラスチック資材製の四辺形固定部１の外側周縁部を延設せしめ形成した囲み部２と、中心部に貫通孔３を設けたヨークである。このヨークａの固定部１の大きさは限定しない。また前記囲み部２の高さは通常均一である。
【００２０】
ｂは前記囲み部２内に嵌挿する内側部位が中空状をしている中空状挿入部４を有するフェライト製磁石体である。前記磁石体ｂは、前記四辺形状囲み部２に嵌挿可能な形状とする。そして厚さも前記囲み部２の高さと同程度として形成する。
【００２１】
ｃはフランジであり、このフランジｃの裏面部５の中央部位を突設して、前方部に雄ネジ７を設けた接続部６をフランジｃの水平面に対し直角状に突出し形成する。このフランジｃは、通常円形状にして、且ステンレス資材製である。
【００２２】
ｄは回転体であり以下の構成からなっている。
【００２３】
この回転体ｄは、通常円形状にして且ステンレス資材製である。
【００２４】
前記回転体ｄの対向する左側壁面部８と右側壁面部９に、夫々フック体ｅを構成する２本の係止部１０、１０を嵌挿し係止せしめる凹部１１、１１を形成する。
【００２５】
さらに前記回転体ｄの中心部に貫通孔１２を設ける。この貫通孔１２の径は、前記フランジｃの接続部６が嵌挿できる径とする。
【００２６】
ｅはフック体であり、軟鋼線材製であり、下方部は前方部に湾曲状に折曲せしめ引掛け部１３を形成し、上方部は２本の線材を左右対称に外側方に折曲し、さらに夫々の線材を図８のように折曲せしめて係止部１０、１０を形成する。
【００２７】
前記のように形成の係止部１０、１０は、前記回転体ｄの凹部１１、１１に嵌挿せしめる。
【００２８】
１４はワッシャであり、本考案においては、図２のように２個使用する。
【００２９】
１５は前記雄ネジ７に螺着するナットである。
【００３０】
前記四辺形状固定部１の隅部には、止めネジ１６を挿通する孔部１ａを４個所形成する。
【００３１】
１７は前記磁石体ｂの裏面部に貼着した裏面シートである。
【００３２】
本考案のマグネット付フリーフックＡは、上記の構成部材からなり、各構部材を組立てるには以下のようにする。
【００３３】
前記ヨークａの囲み部２内に前記磁石体ｂを接着剤を介してヨークａと磁石体ｂとを接着する。そして前記磁石体ｂの裏面部に裏面シート１７を貼着する。しかしこのシート１７の貼着は組立終了後に貼着してもよい。
【００３４】
つぎに前記ヨークａの四辺形状固定部１の裏面部にワッシャ１４をあてる。さらにワッシャ１４の表面部に回転体ｄを、さらにフランジｃの接続部６を前記回転体ｄの貫通孔１２からワッシャ１４の貫通孔へ、さらに固定部１の貫通孔３へ、さらに前記固定部１の裏面部に位置するワッシャ１４の貫通孔に貫通せしめる。そして前記接続部６の雄ネジ７にナット１５を螺着する。さらに前記フック体ｅの係止部１０、１０を前記回転体ｄの凹部１１、１１に嵌挿せしめる。
【００３５】
本考案のマグネット付フリーフックＡは、上記のようにして組立てる。
【００３６】
さらに本考案のマグネット付フリーフックＢの実施形態について説明する。
【００３７】
前記フリーフックＢは、ヨークｆを構成する四辺形状固定部１８の外側周縁部に囲み部１９を設ける。そして前記固定部１８の内側部にフック体ｅを構成する２本の係止部２０、２０が左サイドと右サイドから嵌挿する対向状の嵌挿部２１、２１を有する引掛け部２２を前記固定部１８の表面より突設する。
【００３８】
そして前記固定部１８は四辺形状固定部１８の４つの隅部に孔部１８ａを設ける。
【００３９】
２３は前記囲み部１９に嵌挿する磁石体であり、前記固定部１８の裏面部２４に接着剤を介して接続する。
【００４０】
さらに前記係止部２０、２０を前記引掛け部２２の嵌挿部２１、２１に嵌挿する。
【００４１】
２５は前記磁石体２３の裏面部２６に付着せしめた裏面シートである。
【００４２】
前記フリーフックＢは、前記フリーフックＡと同じ手法で前記止めネジ１６を前記孔部１８ａに螺入せしめ被磁着物に固着する。
【００４３】
従って前記フリーフックＢは、被磁着物は勿論非磁着性を有する物品類に使用範囲を拡大して使用できる。
【００４４】
さらに前記フリーフックＢは、裏面シート２５を付着せしめてあるので、前記フリーフックＢを磁着させたまま滑らせながら移動しても、前記裏面シート２５によって傷がつきにくい。
【図面の簡単な説明】
【００４５】
【図１】本考案マグネット付フリーフックの正面図である。
【００４６】
【図２】同フックの左側面図である。
【００４７】
【図３】同フックの斜視図である。
【００４８】
【図４】同フックを構成するフランジの正面図である。
【００４９】
【図５】図４のフランジの右側面図である。
【００５０】
【図６】同フックの回転体の正面図である。
【００５１】
【図７】図６の回転体の右側面図である。
【００５２】
【図８】フック体の正面図である。
【００５３】
【図９】フック体の右側面図である。
【００５４】
【図１０】止めネジの斜視図である。
【００５５】
【図１１】同マグネット付フリーフックの第２実施例の正面図である。
【００５６】
【図１２】図１１のフリーフックの右側縦断面図である。
【００５７】
【図１３】図１１のフリーフックの斜視図である。
【符号の説明】
【００５８】
Ａ        マグネット付フリーフック
Ｂ        マグネット付フリーフック
ａ        ヨーク
ｂ        磁石体
ｃ        フランジ
ｄ        回転体
ｅ        フック体
１        固定部
１ａ      孔部
２        囲み部
３        貫通孔
４        中空状挿入部
５        裏面部
６        接続部
７        雄ネジ
８        左側壁面部
９        右側壁面部
１０      係止部
１１      凹部
１２      貫通孔
１３      引掛け部
１４      ワッシャ
１５      ナット
１６      止めネジ
１７      裏面シート
１８      固定部
１８ａ    孔部
１９      囲み部
２０      係止部
２１      嵌挿部
２２      引掛け部
２３      磁石体
２４      裏面部
２５      裏面シート
２６      裏面部
【図１】
0003124079.tif 000003
【図２】
0003124079.tif 000004
【図３】
0003124079.tif 000005
【図４】
0003124079.tif 000006
【図５】
0003124079.tif 000007
【図６】
0003124079.tif 000008
【図７】
0003124079.tif 000009
【図８】
0003124079.tif 000010
【図９】
0003124079.tif 000011
【図１０】
0003124079.tif 000012
【図１１】
0003124079.tif 000013
【図１２】
0003124079.tif 000014
【図１３】
0003124079.tif 000015